(57)【要約】  【課題】  作動油の過不足に対する吸収動作が長期にわたって安定し、小型化が可能な油圧防振器を提供すること。  【解決手段】  シリンダ２に出入り自在にピストンロッド３を挿入し、シリンダ２内を二つの油圧室５，６に仕切るピストン４をピストンロッド３に固定し、シリンダ２の作動油の過不足を調整するように作動油を出入り可能に充填するリザーバ７をシリンダ２の油圧室５，６に連通させ、作動油の急激な流通を抑制する一方、作動油の緩慢な流通を許容する制御弁１１をリザーバ７とシリンダ２との間に設ける。リザーバ７は、作動油の収容部７ａを狭める方向に移動可能な蓋７ｂをばね７ｃにより加圧させるように構成する。リザーバ７を円筒状のシリンダ２周りに同心円筒状に構成し、シリンダ２とリザーバ７との間に両油圧室５，６間をつなぐ軸線方向の油通路８を形成し、シリンダ２の油圧室５，６を共通の連通路９を介してリザーバ７に連通させる。【選択図】  図１
2005337309.tif 000002
【特許請求の範囲】
【請求項１】
支持体又は防振対象の一方に連結され、内部に作動油を充填したシリンダと、
他方に連結され、前記シリンダに出入り自在に挿入されたピストンロッドと、
このピストンロッドに固定され、前記シリンダ内をピストンロッドの出入りにより収縮、拡大する二つの油圧室に仕切るピストンと、
前記シリンダの作動油の過不足を調整するように作動油を出入り可能に収容するリザーバと、
前記シリンダとピストンロッドの相対移動に伴い拡大又は縮小する前記二つの油圧室を出入りする作動油の急激な流通を抑制して振動を阻止する一方、作動油の緩慢な流通を許容してシリンダとピストンロッドの緩慢な相対変位を許容するために、作動油の流通路上に設けられた制御弁とを具備する油圧防振器において、
前記リザーバは、作動油を充填する収容部を狭める方向にばねにより加圧された移動可能な蓋を備え、
前記制御弁は、シリンダの両油圧室とリザーバとの間に夫々設けられていることを特徴とする油圧防振器。
【請求項２】
前記シリンダの両油圧室は共通の連通路を介してリザーバに連通することを特徴とする請求項１に記載の油圧防振器。
【請求項３】
前記リザーバは円筒状のシリンダ周りに同心円筒状に構成され、
前記シリンダとリザーバとの間に両油圧室間をつなぐ軸線方向の油通路が形成されていることを特徴とする請求項１に記載の油圧防振器。
【発明の詳細な説明】
【技術分野】
【０００１】
本発明は、地震、機械振動、風その他の外力に起因する振動により構築物自体やこれに支持された設備等の揺れを阻止するために、例えば構築物の梁材や支柱材などの構造材の相互間や、構造物と配管又は機器などとの間に設けられる油圧防振器に関するものである。
【背景技術】
【０００２】
支持体と防振対象と間に介設される油圧式の防振器は、内部に作動油を充填したシリンダと、シリンダ内を二つの油圧室に区画するピストンと、シリンダに出入り自在に挿入されたピストンロッドとを具備する。従来の防振器は、作動油の過不足を調整するために、シリンダの二つの油圧室にオイルリザーバを連通させ、この連通路上に制御弁を設け、シリンダとピストンロッドの相対移動に伴い拡大又は縮小する前記二つの油圧室から出入りする作動油の急激な流通を抑制する一方、作動油の緩慢な流通を許容するものである。オイルリザーバには、油圧室間の作動油の出入り量の相違や温度変化による作動油の増減を吸収するためのアキュムレータが収容される（特許文献１参照）。
【特許文献１】特開昭６３−９７４１号公報
【発明の開示】
【発明が解決しようとする課題】
【０００３】
上記従来の油圧防振器においては、アキュムレータが天然ゴムの発泡体を耐油性のゴム製シートで被覆したもので、作動油の体積変動に対応するための拡大収縮動作を緻密に設定することが難しく、動作が不安定になることがある。また、ゴム製のため、経年劣化があり、長期間にわたる使用に不安がある。
また、ピストンに制御弁を設け、これを通じて油圧室間を行き来する作動油を制御するものもあるが、作動油がピストンを双方向に行き来するために二つの制御弁を要すると共に、油圧室の異なる容積変動による過不足を吸収するためにオイルリザーバにも給油バルブを要するし、制御弁を内蔵するためにピストンの小型化を妨げて装置の取付位置の自由度を狭めるという問題がある。
そこで、本発明は、作動油の過不足に対する吸収動作の設定が比較的容易で、所期通りに安定して動作し、長期間にわたって使用することができ、追従性がよく振動に迅速に対応でき、給油バルブを要せず、小型化が可能な油圧防振器を提供することを課題としている。
【課題を解決するための手段】
【０００４】
上記課題を解決するため、第１の発明においては、支持体又は防振対象の一方に作動油を充填したシリンダ２を連結し、他方にシリンダ２に出入り自在に挿入されたピストンロッド３を連結し、シリンダ２内を収縮、拡大する二つの油圧室５，６に仕切るピストン４をピストンロッド３に固定し、シリンダ２の作動油の過不足を調整するように作動油を出入り可能に充填するリザーバ７をシリンダに連通させ、シリンダ２の拡大又は縮小する二つの油圧室５，６を出入りする作動油の急激な流通を抑制する一方、作動油の緩慢な流通を許容する制御弁１１をリザーバ７とシリンダ２との間に設ける。リザーバ７は、作動油を充填する収容部７ａを狭める方向に移動可能な蓋７ｂをばね７ｃにより加圧させる。制御弁１１は、シリンダ２の両油圧室５，６とリザーバ７との間に夫々設ける。
第２の発明においては、シリンダ２の両油圧室５，６を共通の連通路９、油通路８及び連通路１０を介してリザーバ７に連通させた。
第３の発明においては、リザーバ７を円筒状のシリンダ２周りに同心円筒状に構成し、シリンダ２とリザーバ７との間に両油圧室５，６間をつなぐ軸線方向の油通路８を形成した。
【発明の効果】
【０００５】
本発明においては、リザーバ内の作動油を常時ばねで加圧するので作動油の体積変動に対してリザーバの収容部が弾力的に拡大、縮小し、給油バルブを要することなくシリンダの二つの油圧室の異なる容積変動による作動油の過不足を所期通りに安定して吸収することができるし、ピストンの挙動に良好に追従して振動に迅速に対応できる。また、シリンダの二つの油圧室が共通の連通路を介してオイルリザーバにつながるので、油圧室の油圧に逃げが生じてオイルリザーバに油圧が直接作用しない。さらに、ピストンに制御弁を設けないので装置の小型化を図ることができ、取付位置の自由度が拡大する。
【発明を実施するための最良の形態】
【０００６】
本発明の実施の一形態を図面を参照して説明する。
図１において、油圧防振器１は例えば図示しない構築物の構造材などの支持体と防振対象との間に介設される。油圧防振器１は、支持体に連結されるシリンダ２と、防振対象に連結されてシリンダ２に軸線方向へ出入り自在に挿入されたピストンロッド３と、ピストンロッド３の先端に固定され、シリンダ２内に摺動自在に気密に嵌合して第１及び第２の油圧室５，６に仕切るピストン４とを備えている。シリンダ２内の第１及び第２の油圧室５，６には作動油が充填される。
【０００７】
シリンダ２の第１及び第２の油圧室５，６には、作動油の過不足を調整するために作動油が出入り自在に充填されるリザーバ７が連通している。リザーバ７は、環状を成し、シリンダ１周りに密着して同心円筒状に配置され、両端部がシリンダ１の両端壁に固定されている。リザーバ７の内部には作動油の収容部７ａを仕切るためのリング状の蓋７ｂが軸線方向に移動自在に気密に嵌合している。蓋７ｂには収容部７ａの反対側にこれを加圧するばね７ｃが端壁との間に係止されており、収容部７ａを弾力的に拡大、縮小可能である。図１、図２に示すように、シリンダ１の外周壁には複数の溝が長手方向に設けられており、この外周面とリザーバ７との間に複数の油通路８が形成される。この油通路８はシリンダ２の第１及び第２の油圧室５，６に通じる連通路９，１０間をつなぐ。即ち、第１の油圧室は連通路９を介してリザーバ７につながり、第２の油圧室は連通路１０、油通路８及び連通路９を介してリザーバ７につながる。従って、両油圧室５，６はリザーバ７との間に共通の連通路９を有することとなる。
【０００８】
連通路９，１０には、ポペット弁１１が夫々設けられている。ポペット弁１１は、シリンダ２とピストンロッド３の相対移動に伴い拡大又は縮小する二つの油圧室５，６に出入りする作動油の急激な流通を抑制する一方、作動油の緩慢な流通を無理なく許容するものである。このポペット弁１１の弁体１１ａには、閉じた時にも僅かな流通を許容して前後の圧力を均一化するオリフィス１１ｂが設けられている。
【０００９】
この油圧防振器１においては、地震等の振動により構築物が揺動して支持体及び防振対象の挙動と共に、ピストンロッド３がシリンダ２内に押し込まれ、あるいはそれから引き出されるようにピストン４が変位しようとするが、油圧室５（６）から連通路９（１０）を通じて油圧が一気に変化するので、両ポペット弁１１が閉じ、作動油の流通を妨げ、振動を阻止する。このとき、リザーバ７への油圧は油通路８を通じて負圧側に逃げるので、リザーバ７に油圧が直接作用しにくい。一方、ポペット弁１１は、継続的な振動や外気温の影響などに伴う作動油の体積変動による緩慢な流れを無理なく許容するように開く。ポペット弁１１は、防振動作後の油圧室５，６の内圧をオリフィス１１ｂを通じて均等に保つ。
【００１０】
リザーバ７においては、ばね７ｃにより常時収容部７ａを狭める方向に蓋７ｂが押されているので、連通路９，１０及び油通路８を通じて作動油全体に内圧が作用しており、振動に対して追従し易く、即応性がある。ピストン４の移動による油圧室５，６間の作動油の出入り量に相違があったり、継続的な振動や外気温の影響などにより作動油に体積の増減が生じた場合に、ばね７ｃが内圧変化に応じて蓋体７ｂを変位させて収容部７ａの容積を調整する。
【産業上の利用可能性】
【００１１】
本発明は、地震、機械振動、風その他の外力に起因する構築物などの振動を阻止するのに有効である。
【図面の簡単な説明】
【００１２】
【図１】本発明に係る油圧防振器の縦断面図である。
【図２】図１のII−II線断面図である。
【図３】図１のIII−III線断面図である。
【符号の説明】
【００１３】
１    油圧防振器
２    シリンダ
３    ピストンロッド
４    ピストン
５    第１油圧室
６    第２油圧室
７    リザーバ
７ａ  収容部
７ｂ  蓋
７ｃ  ばね
８    油通路
９    連通路
１０    連通路
１１    ポペット弁
【図１】
2005337309.tif 000003
【図２】
2005337309.tif 000004
【図３】
2005337309.tif 000005